(57)【要約】 【課題】本発明は電力付加サービスのためのコンシューマサービスポータルプラットフォームシステムを提供する。【解決手段】本発明はコンシューマインビルディングネットワーク、及び最終装備とジグビ無線方式を通じてデータ伝送及び遠隔制御を可能にする遠隔検針インプラ構築を活用する電力付加サービスのためのコンシューマサービスポータルプラットフォームシステムに関する。  従って、既存運営システムに散在している多くのデータ及び外部データを電力事業者とコンシューマ観点で主題別に統合し、データの多次元的分析を通じて需要者の長／短期電力使用量、費用、収益予測情報を即時提供し、オンライン上で電力事業者と最終コンシューマの主要電力機器に対するネットワーク連係が支援され、新しい双方向実時間サービス提供が可能になる。【選択図】    図１
2009089579.tif 000002
【特許請求の範囲】
【請求項１】
コンシューマに接続され、電力付加サービスを提供するコンシューマサービスポータルを含むコンシューマサービスポータルプラットフォームシステムであって、
前記コンシューマは、
前記コンシューマサービスポータルと接続されたデータ集約ユニット（ＤＣＵ）と、
自身の電力使用に対応する計量値を前記ＤＣＵに伝送し、前記コンシューマサービスポータルから前記ＤＣＵを介して提供される制御信号によってオン／オフされる電力設備と、
自身の電力使用に対応する計量値及びイベント情報を前記ＤＣＵに伝送する電子式電力量計と、
を含むことを特徴とする電力付加サービスのためのコンシューマサービスポータルプラットフォームシステム。
【請求項２】
前記ＤＣＵは、前記コンシューマサービスポータルと、有線網、無線網、電力線通信、衛星、又はインターネットを選択的に使用して接続されることを特徴とする請求項１記載の電力付加サービスのためのコンシューマサービスポータルプラットフォームシステム。
【請求項３】
前記ＤＣＵ、前記電力設備、及び前記電子式電力量計のうち少なくともいずれか一つは、ジグビ内蔵型であることを特徴とする請求項１記載の電力付加サービスのためのコンシューマサービスポータルプラットフォームシステム。
【請求項４】
前記電子式電力量計が前記ＤＣＵに伝送する計量値及びイベント情報は、有効電力量、無効電力量、及び力率を含むことを特徴とする請求項１記載の電力付加サービスのためのコンシューマサービスポータルプラットフォームシステム。
【請求項５】
コンシューマに接続され、電力付加サービスを提供するコンシューマサービスポータルを含むコンシューマサービスポータルプラットフォームシステムであって、
コンシューマ情報、天気情報、電力市場情報、及び検針情報を抽出、精製、変換、及び積載する抽出／精製／変換／積載モジュールと、
前記抽出／精製／変換／積載モジュールから提供される情報を管理するデータウェアハウスと、
前記データウェアハウスの情報を参照して業務要件が主題領域別に分析されたデータを管理するデータマートと、
前記データマートに接続され、コンシューマの検針データと外部データを用いて負荷、費用、収益、及びパターンを分析及び予測するエネルギーデータ分析／予測モジュールと、
前記データマートに接続され、デバイス管理及びポータルを運営するポータル管理モジュールと、
前記データマートに接続され、コンシューマ電力付加サービスが要求する実時間データをＸＭＬ形態に変換して提供するＸＭＬサービス供給者及びＳＭＳサーバと連動して、携帯電話及びモバイルデータ伝送サービスを実施するインターフェースモジュールと、
前記データマートに接続され、コンシューマポータル使用者を管理する使用者管理モジュール、前記データマートに接続され、コンシューマに負荷情報と市場情報を提供するインターフェース画面及びコンシューマの意志決定を支援するコンシューマエネルギー管理モジュール、及び前記データマートに接続され、異機種ネットワークまたはデータ伝送網に関するモニタリングと管理を実施し、遠隔設備の診断、監視、及び制御を担当する遠隔設備管理モジュールを具備したコンシューマウェブモジュールと、
を含むことを特徴とする電力付加サービスのためのコンシューマサービスポータルプラットフォームシステム。
【請求項６】
前記分析は、１５分周期、１時間周期、週間周期、月周期、及び年周期で分析されることを特徴とする請求項５記載の電力付加サービスのためのコンシューマサービスポータルプラットフォームシステム。
【請求項７】
前記分析は、前日、前月、及び前年との比較分析と、契約種別、契約電力別、業種別負荷、費用、及び収益を分析及び予測することを特徴とする請求項５記載の電力付加サービスのためのコンシューマサービスポータルプラットフォームシステム。
【請求項８】
前記電力付加サービスは、現在エネルギーを使用するサービス及び提供されるサービスを改善した形態の最終装備モニタリング、需要応答、電力品質、エネルギーコンサルティング、ＣＯ２モニタリング、及び革新的料金制を含むことを特徴とする請求項５記載の電力付加サービスのためのコンシューマサービスポータルプラットフォームシステム。
【請求項９】
前記インターフェース画面は、使用者情報、最大需要、有効電力量、無効電力用、力率、電力設備情報、及び実時間遠隔制御設備モニタリングを表示することを特徴とする請求項５記載の電力付加サービスのためのコンシューマサービスポータルプラットフォームシステム。
【請求項１０】
前記コンシューマサービスポータルは、前記インターフェース画面で使用者が選択した項目に関連されたデータを、前記使用者インターフェースを介して提供し、前記データに対する修正補完のための認証手続きを経るようにすることを特徴とする請求項５記載の電力付加サービスのためのコンシューマサービスポータルプラットフォームシステム。
【請求項１１】
前記インターフェースモジュールは、使用者または電力付加サービスが要求する要請データを使用者が要求する形式に変換することを特徴とする請求項５記載の電力付加サービスのためのコンシューマサービスポータルプラットフォームシステム。
【請求項１２】
コンシューマに接続され、電力付加サービスを提供するコンシューマサービスポータルを含むコンシューマサービスポータルプラットフォームシステムであって、
前記コンシューマサービスポータルは、
コンシューマ情報、天気情報、電力市場情報、及び検針情報を抽出、精製、変換及び積載する抽出／精製／変換／積載モジュールと、
前記抽出／精製／変換／積載モジュールから提供される情報を管理するデータウェアハウスと、
前記データウェアハウスの情報を参照して業務要件が主題領域別で分析されたデータを管理するデータマートと、
前記データマートに接続され、コンシューマの検針データと外部データを用いて負荷、費用、収益、及びパターンを分析及び予測するエネルギーデータ分析／予測モジュールと、
前記データマートに接続され、デバイス管理及びポータルを運営するポータル管理モジュールと、
前記データマートに接続され、コンシューマ電力付加サービスが要求する実時間データをＸＭＬ形態に変化して提供するＸＭＬサービス供給者及びＳＭＳサーブと連動して、携帯電話及びモバイルデータ伝送サービスを遂行するインターフェースモジュールと、
前記データマートに接続され、コンシューマポータル使用者を管理する使用者管理モジュール、前記データマートに接続され、コンシューマに負荷情報と市場情報を提供するインターフェース画面及びコンシューマの意志決定を支援するコンシューマエネルギー管理モジュール、及び前記データマートに接続され、異機種ネットワークまたはデータ伝送網に対するモニタリングと管理を実施し、遠隔設備の診断、監視、及び制御を担当する遠隔設備管理モジュールを具備したコンシューマウェブモジュールと、
を含み、
前記コンシューマは、前記コンシューマサービスポータルと接続されたＤＣＵと、
自身の電力使用に対応する計量値を前記ＤＣＵに伝送し、前記コンシューマサービスポータルから前記ＤＣＵを介して提供される制御信号に従ってオン／オフされる電力設備と、
自身の電力使用に対応する計量値及びイベント情報を前記ＤＣＵに伝送する電子式電力量計と、
を含むことを特徴とする電力付加サービスのためのコンシューマサービスポータルプラットフォームシステム。
【請求項１３】
前記ＤＣＵは、前記コンシューマサービスポータルと、有線網、無線網、電力線通信、衛星、インターネットを選択的に使用して接続されることを特徴とする請求項１２記載の電力付加サービスのためのコンシューマサービスポータルプラットフォームシステム。
【請求項１４】
前記ＤＵＣ、電力設備、及び電子式電力量計のうち少なくともいずれか一つは、ジグビ内蔵型であることを特徴とする請求項１２記載の電力付加サービスのためのコンシューマサービスポータルプラットフォームシステム。
【請求項１５】
前記電子式電力量計が前記ＤＣＵに伝送する計量値及びイベント情報は、有効電力量、無効電力量、及び力率を含むことを特徴とする請求項１２記載の電力付加サービスのためのコンシューマサービスポータルプラットフォームシステム。
【請求項１６】
前記分析は、１５分周期、１時間周期、週間周期、月周期、及び年周期で分析されることを特徴とする請求項１２記載の電力付加サービスのためのコンシューマサービスポータルプラットフォームシステム。
【請求項１７】
前記分析は、前日、前月、及び前年との比較分析と契約種別、契約電力別、及び業種別負荷、費用、及び収益を分析及び予測することを特徴とする請求項１２記載の電力付加サービスのためのコンシューマサービスポータルプラットフォームシステム。
【請求項１８】
前記電力付加サービスは、現在エネルギーを使用するサービス及び提供されるサービスを改善した形態の最終装備モニタリング、需要応答、電力品質、エネルギーコンサルティング、ＣＯ２モニタリング、革新的料金制を含むことを特徴とする請求項１２記載の電力付加サービスのためのコンシューマサービスポータルプラットフォームシステム。
【請求項１９】
前記インターフェース画面は、使用者情報、最大需要、有効電力量、無効電力量、力率、電力設備情報、及び実時間遠隔制御設備モニタリングを表示することを特徴とする請求項１２記載の電力付加サービスのためのコンシューマサービスポータルプラットフォームシステム。
【請求項２０】
前記コンシューマサービスポータルは、前記インターフェース画面で使用者が選択した項目に関連されたデータを前記使用者インターフェースを介して提供し、前記データに関する修正及び補完のための認証手続きを経るようにすることを特徴とする請求項１２記載の電力付加サービスのためのコンシューマサービスポータルプラットフォームシステム。
【請求項２１】
前記インターフェースモジュールは、使用者または電力付加サービスが要求する要請データを使用者が要求する形式に変換することを特徴とする請求項１２記載の電力付加サービスのためのコンシューマサービスポータルプラットフォームシステム。
【発明の詳細な説明】
【技術分野】
【０００１】
本発明は電力付加サービスのためのコンシューマサービスポータルプラットフォームシステムに係り、特に、コンシューマインビルディング（In‐building）ネットワーク及び最終装備とジグビ（ＺｉｇＢｅｅ：登録商標）無線伝送方式を通じてデータ伝送及び遠隔制御を可能にする進歩した遠隔検針インプラ構築を活用する電力付加サービスのためのコンシューマサービスポータルプラットフォームシステムに関する。
【背景技術】
【０００２】
電力産業の環境変化によって単一供給者であった韓国電力を始め、電力販売事業者、民間負荷事業者、エネルギーコンサルティング事業者などエネルギー関連サービスを提供する主体者（ＥＳＰ：Energy  Service  Provider）が参与し、電力市場が競争体制に変化しつつある。よって、電力エネルギー管理最適化のための電力資源及び情報の統合管理、需要側サービス改善、収益創出のできる付加サービス開発が要求される。このような付加サービスには、電力事業者が共有できる公的共有インプラと標準が必要である。また、インビルディングネットワーク、最終遠隔装備、及び外部アクセスネットワーク技術が統合された電力エネルギー−通信−情報融合サービスプラットフォームを基盤とする統合されたシステムが要求される。
【０００３】
現在、電力事業者は局限されたＣ＆Ｉ（Commerical＆Industrial）顧客に負荷プロファイル及び間隔検針データを確保するためにＡＭＲ（adaptive  multi−rate）を構築して活用しているが、最大需要、有効電力、無効電力など単純情報のみ提供している。
【０００４】
しかし、今後電力事業者または需要者の収益モデルとして革新的料金製、実時間料金制、需要反応、遠隔装備モニタリング及び制御など電力付加サービス体系を構築するための双方向実時間インプラの必要性が要求されている実情である。
【０００５】
また、コンシューマ装備との通信を可能にする双方向通信基盤が整えられていないので、多様で進歩された付加サービス適用の限界、不正確な電力使用分析及び予測などによってエネルギー効率向上のための政策樹立において困難がある。
【発明の開示】
【発明が解決しようとする課題】
【０００６】
本発明は前述した課題を解決するために案出されたもので、電力事業者とコンシューマ内装備との間の双方向通信を可能にするハードウェアとソフトウェアとの結合でコンシューマ所有ネットワーク及び知能形装備と、データまたは制御信号のやり取りができる基盤を構築して未来形電力付加サービスである需要反応、革新的料金制、実時間エネルギー情報サービス、遠隔モニタリング及び制御などが適用できる電力付加サービスのためのコンシューマサービスポータルプラットフォームシステムを提供することにその目的がある。
【課題を解決するための手段】
【０００７】
前記目的を達成するために、本発明の一形態によると、コンシューマに接続され、電力付加サービスを提供するコンシューマサービスポータルを含むコンシューマサービスポータルプラットフォームシステムであって、前記コンシューマは前記コンシューマサービスポータルと接続されたデータ集約ユニット（ＤＣＵ：Data  Collection  Unit）と、自身の電力使用に対応する計量値を前記ＤＣＵに伝送し、前記コンシューマサービスポータルから前記ＤＣＵを介して提供される制御信号によってオン／オフされる電力設備と、自身の電力使用に対応する計量値及びイベント情報を前記ＤＣＵに伝送する電子式電力量計と、を含む。
【０００８】
望ましくは、前記ＤＣＵは、前記コンシューマサービスポータルと、有線網、無線網、電力線通信、衛星、インターネットを選択的に使用して接続されることが好ましい。
【０００９】
前記ＤＣＵ、前記電力設備、及び前記電子式電力量計のうち少なくともいずれか一つは、ジグビ内蔵型であることが好ましい。
【００１０】
前記電子式電力量計が前記ＤＣＵに伝送する計量値及びイベント情報は、有効電力量、無効電力量、及び力率を含むことが好ましい。
【００１１】
本発明の他の形態によると、コンシューマに接続され、電力付加サービスを提供するコンシューマサービスポータルを含むコンシューマサービスポータルプラットフォームシステムであって、コンシューマ情報、天気情報、電力市場情報、及び検針情報を抽出、精製、変換、及び積載する抽出／精製／変換／積載モジュールと、前記抽出／精製／変換／積載モジュールから提供される情報を管理するデータウェアハウスと、前記データウェアハウスの情報を参照して主題領域別に業務要件を分析するデータマートと、前記データマートに接続され、コンシューマの検針データと外部データを用いて負荷、費用、収益、及びパターンを分析及び予測するエネルギーデータ分析／予測モジュールと、前記データマートに接続され、デバイス管理及びポータルを運営するポータル管理モジュールと、前記データマートに接続され、コンシューマ電力付加サービスが要求する実時間データをＸＭＬ形態に変換して提供するＸＭＬサービス供給者及びＳＭＳ（Short  Message  Service）サーバと連動して、携帯電話及びモバイルデータ伝送サービスを実施するインターフェースモジュールと、前記データマートに接続され、コンシューマポータル使用者を管理する使用者管理モジュール、前記データマートに接続され、コンシューマに負荷情報と市場情報を提供するインターフェース画面及びコンシューマの意志決定を支援するコンシューマエネルギー管理モジュール、及び前記データマートに接続され、異機種ネットワークまたはデータ伝送網に関するモニタリングと管理を実施し、遠隔設備の診断、監視、及び制御を担当する遠隔設備管理モジュールを具備したコンシューマウェブモジュールと、を含む。
【００１２】
望ましくは、前記分析は、１５分周期、１時間周期、週間周期、月周期、及び年周期で分析されることが好ましい。
【００１３】
前記分析は、前日、前月、及び前年との比較分析と、契約種別、契約電力別、及び業種別負荷、費用、及び収益を分析及び予測することが好ましい。
【００１４】
前記電力付加サービスは、現在エネルギーを使用するサービス及び提供されるサービスを改善した形態の最終（End−use）装備モニタリング、需要応答、電力品質、エネルギーコンサルティング、ＣＯ２モニタリング、及び革新的料金制を含むことが好ましい。
【００１５】
前記インターフェース画面は、使用者情報、最大需要、有効電力量、無効電力用、力率、電力設備情報、及び実時間遠隔制御設備モニタリングを表示することができる。
【００１６】
前記コンシューマサービスポータルは、前記インターフェース画面で使用者が選択した項目に関連されたデータを前記使用者インターフェースを介して提供し、前記データに対する修正補完のための認証手続きを経るようにすることが望ましい。
【００１７】
前記インターフェースモジュールは、使用者または電力付加サービスが要求する要請データを使用者が要求する形式に変換することができる。
【００１８】
本発明のさらなる他の形態によると、コンシューマに接続され、電力付加サービスを提供するコンシューマサービスポータルを含むコンシューマサービスポータルプラットフォームシステムであって、コンシューマ情報、天気情報、電力市場情報、及び検針情報を抽出、精製、変換及び積載する抽出／精製／変換／積載モジュールと、前記抽出／精製／変換／積載モジュールから提供される情報を管理するデータウェアハウスと、前記データウェアハウスの情報を参照して業務要件が主題領域別で分析されたデータを管理するデータマートと、前記データマートに接続され、コンシューマの検針データと外部データを用いて負荷、費用、収益、及びパターンを分析及び予測するエネルギーデータ分析／予測モジュールと、前記データマートに接続され、デバイス管理及びポータルを運営するポータル管理モジュールと、前記データマートに接続され、コンシューマ電力付加サービスが要求する実時間データをＸＭＬ形態に変化して提供するＸＭＬサービス供給者及びＳＭＳサーブと連動して、携帯電話及びモバイルデータ伝送サービスを実施するインターフェースモジュールと、前記データマートに接続され、コンシューマポータル使用者を管理する使用者管理モジュール、前記データマートに接続され、コンシューマに負荷情報と市場情報を提供するインターフェース画面及びコンシューマの意志決定を支援するコンシューマエネルギー管理モジュール、及び前記データマートに接続され、異機種ネットワークまたはデータ伝送網に関するモニタリングと管理を実施し、遠隔設備の診断、監視、及び制御を担当する遠隔設備管理モジュールを具備したコンシューマウェブモジュールと、を含み、前記コンシューマは前記コンシューマサービスポータルと接続されたＤＣＵと、自身の電力使用に対応する計量値を前記ＤＣＵに伝送し、前記コンシューマサービスポータルで前記ＤＣＵを介して提供される制御信号に従ってオン／オフされる電力設備と、自身の電力使用に対応する計量値及びイベント情報を前記ＤＣＵに伝送する電子式電力量計と、を含む。
【００１９】
望ましくは、前記ＤＣＵは、前記コンシューマサービスポータルと、有線網、無線網、電力線通信、衛星、インターネットを選択的に使用して接続されることが好ましい。
【００２０】
前記ＤＵＣ、前記電力設備、及び前記電子式電力量計のうち少なくともいずれか一つは、ジグビ内蔵型であることが好ましい。
【００２１】
前記電子式電力量計が前記ＤＣＵに伝送する計量値及びイベント情報は、有効電力量、無効電力量、及び力率を含むことが好ましい。
【００２２】
望ましくは、前記分析は、１５分周期、１時間周期、週間周期、月周期、及び年周期で分析されることが好ましい。
【００２３】
前記分析は、前日、前月、前年との比較分析と、契約種別、契約電力別、業種別負荷、費用、収益を分析及び予測することが望ましい。
【００２４】
前記電力付加サービスは、現在エネルギーを使用するサービス及び提供されるサービスを改善した形態の最終装備モニタリング、需要応答、電力品質、エネルギーコンサルティング、ＣＯ２モニタリング、革新的料金制を含むことが好ましい。
【００２５】
前記インターフェース画面は、使用者情報、最大需要、有効電力量、無効電力量、力率、電力設備情報、及び実時間遠隔制御設備モニタリングを表示することができる。
【００２６】
前記コンシューマサービスポータルは、前記インターフェース画面で使用者が選択した項目に関連されたデータを前記使用者インターフェースを介して提供し、前記データに関する修正補完のための認証手続きを経るようにすることが好ましい。
【００２７】
前記インターフェースモジュールは、使用者または電力付加サービスが要求する要請データを使用者が要求する形式に変換することができる。
【発明の効果】
【００２８】
以上、本発明によれば、既存運営システムに散在している多くのデータ（メーター、ビリング、デバイス情報、需要情報など）及び外部データ（天気、マーケット情報）を電力事業者とコンシューマ観点で主題別に統合し、データの多次元的分析を通じて需要者の長／短期電力使用量、費用、収益予測情報を即時提供し、オンライン上で電力事業者と最終コンシューマの主要な電力機器に対するネットワーク連係が支援されることで新しい双方向実時間サービス提供が可能になる効果がある。
【００２９】
また、電力事業の変化と共に電力事業者に漸次加えられる圧力中の一つは競争で起因して新規設備に対する投資を最小化し、既存の設備に対する効率的な利用で価額に対する統制を必要としている。それにより、本発明のコンシューマサービスポータルは、より正確な情報分析で競争政策の決定、保有設備の効率向上、システム費用の減少、より良い需要者サービスの提供を可能にする。また、コンシューマのエネルギー消費をより効率的に使用できるようにすることで負荷平準化を誘導することができ経済的な給電計画を樹立することができ国家的にエネルギー費用に対する節減にも寄与することができる。
【発明を実施するための最良の形態】
【００３０】
以下、図面を参照して本発明の望ましい一実施例を図面を参照してより詳細に説明する。
【００３１】
図１は、本発明による電力付加サービスのためのコンシューマサービスポータルプラットフォームシステムの適用を示す図面で、ジグビ内蔵型遠隔制御設備１００、ジグビ内蔵型電子式電力量計２００、ジグビ内蔵型ＤＣＵ３００、及びコンシューマサービスポータル４００で構成される。
【００３２】
図２は、コンシューマサービスポータルデータ類型の代表的な実施例を示す図面である。コンシューマサービスポータルは、電力事業者とコンシューマ内で発生する多様な通信技術、論理的プロトコール（Protocol）、及び全ての類型のデータを受容し、保安、顧客データ、及びコンシューマ所有装備の外部制御水準などの統合されたデータを管理する。
【００３３】
前記データ類型は前記遠隔制御設備１００、及び電子式電力量計２００で発生する電力使用量、有効電力量、無効電力量、力率、電圧、電流、周波数を含むエネルギーデータと、コンシューマの顧客基本情報、設備情報、計器情報、ネットワーク情報を含む顧客サイトデータと、最終遠隔制御電力設備のハードウェアバージョン、ソフトウェアバージョン、水電設備系統、主保護装置遮断機、主保護計電気事項、周変圧器事項を含むデバイスデータと、電力市場の料金表（Tariffs）データ、時間代別料金を含む市場データと、電力品質を収容する最小／最大／平均電圧、電流、静電、電圧強化、電圧上昇データを含む電力品質データ２５０と、コンシューマ内または連結された広域ネットワークのモニタリングデータ、ポータルシステムモニタリングデータを含むモニタリングデータと、差別化された保安アクセス及び制御、認証手続きを含む保安データと、Ｅ−メール（ＳＭＴＰ）またはテキストメッセージング（ＳＭＳ）、遠隔制御データ、電力付加サービスインターフェースのためのネットワーク経路を含むインターフェースデータと、で構成される。
【００３４】
図３は、コンシューマ最終電力設備に対する負荷情報及び制御信号を実時間双方向送受信するためのジグビ内蔵型遠隔制御設備１００の一実施例を示す図面で、ジグビ内蔵型遠隔制御設備１００はＲＣモジュール及びジグビ内蔵型無線モデム５００と一体形で具現される。
【００３５】
ジグビ内蔵型無線モデム５００は、ＤＣＵ３００にエネルギーデータを伝送し、コンシューマサービスポータル４００から提供されるインターフェースデータの制御信号をＤＣＵ３００を介して受信して該当電力設備が制御されるようにする。
【００３６】
図４は、ジグビ内蔵型電子式電力量計２００とジグビ内蔵型無線モデム６００と間通信認証規格標準通信プロトコールを適用した例を示す図面である。ジグビ内蔵型無線モデム６００は、ジグビ内蔵型電子式電力量計２００の電力計量値をＤＣＵ３００に伝送する。ジグビ内蔵型電子式電力量計２００は、赤外線ボード及びジグビ内蔵型無線モデム６００と一体形で具現される。
【００３７】
即ち、ジグビ内蔵型電子式電力量計２００はジグビ内蔵型無線モデム６００間のデータインターフェースのために通信認証規格ＤＬＭＳ信号処理チップとＲＦ無線モデムインターフェースで構成された赤外線ボード（ＩＲ  Ｂｏａｒｄ）と、ＲＦ受信端、ＭＣＵ、及び増幅改組で構成されたジグビ内蔵型無線モデム６００を一体形で具現する。
【００３８】
前記遠隔制御設備１００と電子式電力量計２００のジグビ内蔵型無線モデムは陰影地域に対して前記エネルギーデータをＤＣＵ３００に効率的に伝送するために相互間通信方式を１対Ｎで構成される。
【００３９】
前記遠隔制御設備１００と電子式電力量計２００のジグビ内蔵型無線モデムは電源の持続的な供給のために２２０Ｖ電圧線路に連結されるように設ける。
【００４０】
図５は、図３と図４に示されたモデムから取得した情報をＴＣＰ／ＩＰを介してエネルギーデータ管理サーブに伝送する機能を有したジグビ内蔵型ＤＣＵ３００を示す図面である。ＤＣＵ３００は、コンシューマ内に位置した前記遠隔制御設備１００と電子式電力量計２００のエネルギーデータをコンシューマサービスポータル４００に伝送する。ＤＵＣ３００はコンシューマサービスポータル４００で発生するインターフェースデータを受信して遠隔制御設備１００に伝送する。
【００４１】
ＤＣＵ３００は、エネルギーデータとインターフェースデータの通信要請信号の送受信を受けスケジューリングしてＴＣＰ／ＩＰを通じて前記コンシューマサービスポータル４００にデータを送受信できるようにする。
【００４２】
ＤＵＣ３００は、各コンシューマで設置された前記遠隔制御設備１００と電子式電力量計２００のジグビ内蔵型無線モデムのモニタリング及び管理機能を遂行する。
【００４３】
図６は、コンシューマサービスポータルの構成を説明するための図面である。
【００４４】
本コンシューマサービスポータル４００は、コンシューマ情報、天気データ、電力市場データ、検針データを抽出／精製／変換／積載するモジュール、大量の集積データを効率的に管理する統合データウェアハウス、前記データウェアハウスの情報を参照して業務要件が主題領域別で分析されたデータを管理するデータマート、コンシューマの検針データと外部データを用いた負荷／費用／収益／パターン分析及び予測を担当するモジュール、異機種ネットワークまたはデータ伝送網に対するモニタリングと管理を遂行し、また、遠隔制御設備の診断／監視／制御を担当する遠隔制御設備管理モジュール、コンシューマポータル使用者を管理する使用者管理モジュール、コンシューマに負荷情報と市場情報を提供するインターフェース画面とコンシューマの意志決定を支援するコンシューマエネルギー管理モジュール、尖端コンシューマ電力付加サービスが要求する実時間データをＸＭＬ形態に変換して提供するＸＭＬサービス供給者及びＳＭＳサーブと連動して携帯電話及びモバイルデータ伝送サービスを担当するインターフェースモジュール、デバイス管理及びポータル運営に対する全般的な管理機能を遂行するポータル管理モジュールを含む。
【００４５】
前記データ抽出／精製／変換／積載モジュール４２０はコンシューマ情報の実時間収集、ジグビ通信技術を適用した遠隔検針データの実時間収集、電力市場及び天気情報を図７の手続きに従って収集しデータの適合性チェックのための、バリデーション（Validation）、エスティメーション（Estimation）、エディション（Edition）検証過程を経てデータウェアハウス４３０の構造と形式に合わせて変換し積載する。また、前記データ抽出／精製／変換／積載モジュール４２０は‘ＯＤＢＣ’、‘Native  ＡＰＩ’を用いたプラグ−イン、シーケンシャルファイル、ＦＴＰプラグ-インによるシーケンシャルファイルなど多様な形態のソースデータを抽出し、データを抽出するための多様な関数支援、開発及び管理のための直観的な使用者インターフェースを支援し、アプリケーション（Application）との実時間インターフェース機能を遂行しデータのＸＭＬ変換及び連係機能を含む。
【００４６】
データウェアハウス４３０はコンシューマ内の顧客情報及び設備情報、負荷パターン分析のための天気データ、実時間料金計算及び収益／費用分析で用いる電力市場データ、大容量電力検針計量値で構成する。また、コンシューマサービスポータルの標準化及び基準情報統合過程を経た後、定型及び非定型を含む多次元的な分析と使用者中心の業務要件分析を通じて主題領域を導出するためのデータマート生成を含む。大きくコンシューマサービスポータルの統合的な観点と特別に要求するアプリケーションの業務領域に対する追加的なデータマートで構成する。前記データマートはクエリ（query）性能の向上と多次元分析のための多次元モデリング技法である‘Ｓｔａｒ  Ｓｃｈｅｍａ＆Ｓｎｏｗ−Ｆｌａｋｅ  Ｓｃｈｅｍａ’を適用して、多様な観点での要求分析とモデリングを通じた明確な次元（Dimension）、事実（Fact）を導出し、各次元別‘Ｐｉｖｏｔｉｎｇ’、‘Ｄｒｉｌｌｉｎｇ’など動作を実施する。
【００４７】
エネルギーデータ分析／予測モジュール４４０はデータウェアハウス４３０のデータを活用して図８と図９のような方法を適用して全体コンシューマ及びコンシューマ特性を考慮した集団分類別またはコンシューマ個別的な使用現況を多様な側面で全体電力使用のパターンを算出し、多コンシューマ集団別電力使用パターン、費用及び収益を分析して適切な電力購入単価と剰余電力最小化のためのエネルギー消費データの結果を算出し貯蔵する。エネルギーデータ分析／予測モジュール４４０で算出された結果はコンシューマウェブモジュール４６０のインターフェース画面の選択機能によって提供する。
【００４８】
インターフェースモジュール４５０は、手続きに従って尖端コンシューマ電力付加サービスが要求する実時間データをＸＭＬ形態に変換して提供するＸＭＬサービス供給者及びＳＭＳサーブと連動して携帯電話及びモバイルデータ伝送サービスを実施する。
【００４９】
コンシューマウェブモジュール４６０は、コンシューマ最終設備に対するネットワークまたはデータ電装網に対するモニタリングと管理を遂行し、遠隔制御設備の診断／監視／制御を担当する。また、コンシューマポータル使用者を管理し前記エネルギーデータ分析／予測モジュール４４０の結果をコンシューマインターフェース画面に提供する。
【００５０】
ポータル管理モジュール４７０は、ネットワーク、データ経路、使用者認証、モニタリングなどポータル運営に対して全般的に管理する。
【００５１】
上述したように、本発明の方法はプログラムで具現され、このプログラムはコンピュータで読み取ることができる記録媒体（ＣＤ−ＲＯＭ、プロッピーディスク、ハードディスク、光磁気ディスクなど）に貯蔵されたものでもよい。
【００５２】
以上、本発明に対する技術思想を添付図面と共に叙述したが、本発明はこれに限定されず、本発明が属する技術分野において通常の知識を有する者であれば、本発明の思想と精神を離れることなく、本発明を修正または変更できる。
【図面の簡単な説明】
【００５３】
【図１】本発明による電力付加サービスのためのコンシューマサービスポータルプラットフォームシステムの適用を示す図面である。
【図２】コンシューマサービスポータルデータ類型の代表的な実施例を示す図面である。
【図３】コンシューマ最終電力設備に関する負荷情報及び制御信号を実時間双方向送受信するためのジグビ内蔵型遠隔制御設備の一実施例を示す図面である。
【図４】コンシューマ電子式電力量計とジグビ内蔵型無線モデム間通信認証規格標準通信プロトコールを適用した例を示す図面である。
【図５】図３と図４に示すモデムから取得した情報をＴＣＰ／ＩＰを通じてエネルギーデータ管理サーブに伝送する機能を有したジグビ内蔵型ＤＣＵを示す図面である。
【図６】コンシューマサービスポータルの構成を説明するための図面である。
【図７】データＶＥＥ手続きを示す図面である。
【図８】負荷分類分析のための分析手続きを示す図面である。
【図９】予測分析過程を示す図面である。
【図１０】本発明の需要者分析情報を提供する使用者インターフェース画面の各例示を示す図面である。
【図１１】本発明の需要者分析情報を提供する使用者インターフェース画面の各例示を示す図面である。
【図１２】本発明の需要者分析情報を提供する使用者インターフェース画面の各例示を示す図面である。
【図１３】本発明の需要者分析情報を提供する使用者インターフェース画面の各例示を示す図面である。
【図１４】本発明の需要者分析情報を提供する使用者インターフェース画面の各例示を示す図面である。
【符号の説明】
【００５４】
１００      ジグビ内蔵型遠隔制御設備
２００      ジグビ内蔵型電子式電力量計
３００      ジグビ内蔵型ＤＣＵ
４００      コンシューマサービスポータル
【図１】
2009089579.tif 000003
【図２】
2009089579.tif 000004
【図３】
2009089579.tif 000005
【図４】
2009089579.tif 000006
【図５】
2009089579.tif 000007
【図６】
2009089579.tif 000008
【図７】
2009089579.tif 000009
【図８】
2009089579.tif 000010
【図９】
2009089579.tif 000011
【図１０】
2009089579.tif 000012
【図１１】
2009089579.tif 000013
【図１２】
2009089579.tif 000014
【図１３】
2009089579.tif 000015
【図１４】
2009089579.tif 000016